(57)【要約】【課題】本体ケースに接続装着したプラグイン型のホットカーラーを、片手操作で本体ケースから簡便に取り外すことができる、ホットカーラーの加熱装置を提供する。【解決手段】加熱装置を構成する本体ケース１の上面に、プラグイン型のホットカーラーＣを電気的に接続するための接続突起２を突設する。接続突起２の内部に給電用のソケット４を配置する。ホットカーラーＣの内面には、ソケット４に差し込み接続される給電プラグ１５を下向きに突設する。接続突起２に隣接する本体ケース１の上面には、ソケット４に装着したホットカーラーＣの抜き外し操作を補助する指受体３を設ける。指受体３の上端の高さは、ソケット４に装着したホットカーラーＣの上端の高さと同じか、これより高い位置に設ける。人差し指を指受体３の上端にあてがって、ホットカーラーＣを抜き出し操作することにより、本体ケース１を片手で押さえ保持する必要もなくホットカーラーＣを取り外すことができる。【選択図】図１
2005312647.tif 000002
【特許請求の範囲】
【請求項１】
本体ケース（１）の上面に、ホットカーラー（Ｃ）を装着するための接続突起（２）が突設してある加熱装置であって、
接続突起（２）に隣接する本体ケース（１）の上面に、接続突起（２）に装着したホットカーラー（Ｃ）の抜き外し操作を補助する指受体（３）が設けてあり、
指受体（３）の上端の高さが、接続突起（２）に装着したホットカーラー（Ｃ）の上端の高さと同じか、これより高い位置に設けてあることを特徴とするホットカーラーの加熱装置。
【請求項２】
指受体（３）が、本体ケース（１）に対して着脱可能に装着されており、
本体ケース（１）から取り外した指受体（３）が、本体ケース（１）の底面と、接続突起（２）の突端面を含む仮想平面との間の空間を利用して収納してある請求項１記載のホットカーラーの加熱装置。
【請求項３】
指受体（３）が、使用姿勢と収納姿勢とに姿勢変更可能に構成されており、
不使用時の指受体（３）が、本体ケース（１）の底面と、接続突起（２）の突端面を含む仮想平面との間の空間を利用して収納されている請求項１記載のホットカーラーの加熱装置。
【請求項４】
本体ケース（１）の上面に、他の接続突起（２）より上方に突出する高位接続突起（２Ａ）が設けられており、
高位接続突起（２Ａ）と、高位接続突起（２Ａ）に装着したホットカーラー（Ｃ）とが、指受体（３）を兼ねている請求項１記載のホットカーラーの加熱装置。
【請求項５】
接続突起（２）の内部に給電用のソケット（４）が配置され、ホットカーラー（Ｃ）の内面にソケット（４）に差し込み接続される給電プラグ（１５）が下向きに突設されており、
高位接続突起（２Ａ）と、高位接続突起（２Ａ）に設けたソケット（４）に対して、給電プラグ（１５）を介して電気的に装着されるホットカーラー（Ｃ）とが、指受体（３）を兼ねている請求項４記載のホットカーラーの加熱装置。
【請求項６】
指受体（３）の上端面に、指先を受け入れる掛止凹部（２５）が形成されている請求項１記載のホットカーラーの加熱装置。
【請求項７】
指受体（３）に、ホットカーラー（Ｃ）と接続突起（２）との装着位置の目安となる位置表示が設けられている請求項１記載のホットカーラーの加熱装置。
【請求項８】
指受体（３）に、接続突起（２）に対するホットカーラー（Ｃ）の装着操作を補助する装着ガイド（４４）が形成されている請求項１記載のホットカーラーの加熱装置。
【請求項９】
指受体（３）に、ホットカーラーの周面を受け止め支持するカーラー受壁（４３）が形成されている請求項１記載のホットカーラーの加熱装置。
【請求項１０】
本体ケース（１）から取り外した指受体（３）が、本体ケース（１）の底面に形成した収納凹部（３５）に対して、着脱自在に嵌め込み装着されている請求項２記載のホットカーラーの加熱装置。
【請求項１１】
本体ケース（１）に、指受体（３）の基端に設けた嵌合軸（２１）を装着するための連結穴（２３）が形成されており、
連結穴（２３）に臨むケ−ス内部に、嵌合軸（２１）に設けたロック溝（２８）と係脱するロック片（２９）が配置されており、
ロック片（２９）は、ケース本体（１）で往復スライド自在に案内支持されて、ばね（３０）でロック溝（２８）と係合する向きに移動付勢されている請求項１記載のホットカーラーの加熱装置。
【請求項１２】
指受体（３）の基端に設けた嵌合軸（２１）が、他の部位より太く形成されており、
本体ケース（１）に設けた連結穴（２３）に対して、指受体（３）が本体ケースの底面側から嵌め込み装着されている請求項１１記載のホットカーラーの加熱装置。
【発明の詳細な説明】
【技術分野】
【０００１】
本発明は、ホットカーラーを所定温度に加熱するための加熱装置に関する。
【背景技術】
【０００２】
ホットカーラーには、その内部に発熱素子を備えている自己発熱型と、加熱装置からの伝導熱を受ける蓄熱型とがあるが、自己発熱型のホットカーラーは特許文献１に公知であり、この種のホットカーラー用の加熱装置は、例えば特許文献２に公知である。特許文献１のホットカーラーは、カーラー本体の内部に発熱素子と、熱伝導用の金属筒、および給電プラグを備えている。特許文献２の加熱装置においては、中空箱状の本体ケースの上面複数箇所に円柱状の接続突起を突設し、接続突起の内部に給電用のソケットを配置している。使用時には、ホットカーラーの給電プラグを給電用のソケットに接続して、ホットカーラーの内部に設けた発熱素子によってカーラー本体を加熱する。
【０００３】
【特許文献１】特許第２９１９０２８号公報（第２頁、図１）
【特許文献２】特開平９−２３９２０号公報（段落番号００１７、図２）
【発明の開示】
【発明が解決しようとする課題】
【０００４】
上記のようなプラグイン型のホットカーラーにおいては、給電プラグをソケットに対して差し込み装着することにより、ホットカーラーを発熱装置に接続するが、接続状態を確実なものとするために、給電プラグをソケットの弾性力によって強い力で挟持固定している。そのため、ホットカーラーの着脱にはある程度強い力を加える必要があり、とくにホットカーラーを取り外す場合には、例えば片手で加熱装置を押さえ保持し、他方の手でホットカーラーをつかんで抜き取る必要がある。給電プラグが上下に長く、給電プラグとソケットの嵌合長さが大きいことも、ホットカーラーの取り外し操作を困難化する一因になっている。蓄熱型のホットカーラーの場合にも、加熱ロッドにカーラー本体を密着係合させるため、同様の取り外しにくさがある。とくに、直径寸法が大きなホットカーラーの場合には、加熱装置から取り外しにくいうえ、細い給電プラグとソケットとの位置合わせに手間取ることがある。
【０００５】
本発明の目的は、本体ケースに接続装着したホットカーラーを、片手のみで簡便に取り外すことができて、操作しやすいホットカーラーの加熱装置を提供することにある。本発明の目的は、直径寸法が大きなホットカーラーであっても、給電プラグとソケットとの位置合わせが適確に行え、したがってホットカーラーを簡単に着脱操作できるホットカーラーの加熱装置を提供することにある。本発明の目的は、加熱装置とその付属品とをコンパクトにまとめて収納でき、したがって、商品発送時の占有スペースや、不使用状態における収納スペースを最小限化できるホットカーラーの加熱装置を提供することにある。
【課題を解決するための手段】
【０００６】
本発明に係るホットカーラーの加熱装置は、本体ケース１の上面に、ホットカーラーＣを装着するための接続突起２が突設してある。接続突起２に隣接する本体ケース１の上面には、接続突起２に装着したホットカーラーＣの抜き外し操作を補助する指受体３が設けられている。指受体３の上端の高さは、接続突起２に装着したホットカーラーＣの上端の高さと同じか、これより高い位置に設ける。ホットカーラーＣがプラグイン型である場合には、接続突起２の内部に給電用のソケット４を配置し、ホットカーラーＣの内面に、ソケット４に差し込み接続される給電プラグ１５を下向きに突設する。
【０００７】
指受体３は、本体ケース１に対して着脱可能に装着し、本体ケース１から取り外した指受体３は、本体ケース１の底面と、接続突起２の突端面を含む仮想平面との間の空間を利用して収納することができる。
【０００８】
図８および図９に示すように、指受体３は使用姿勢と収納姿勢とに姿勢変更可能に構成することができ、不使用時の指受体３は、本体ケース１の底面と、接続突起２の突端面を含む仮想平面との間の空間を利用して収納することができる。
【０００９】
図１０に示すように、本体ケース１の上面には他の接続突起２より上方に突出する高位接続突起２Ａを設け、高位接続突起２Ａと、高位接続突起２Ａに装着したホットカーラーＣとが指受体３を兼ねるようにすることができる。
【００１０】
さらに、接続突起２の内部に給電用のソケット４を配置し、ホットカーラーＣの内面にソケット４に差し込み接続される給電プラグ１５を下向きに突設する。以て、高位接続突起２Ａと、高位接続突起２Ａに設けたソケット４に対して、給電プラグ１５を介して電気的に装着されるホットカーラーＣとが、指受体３を兼ねるようにすることができる。
【００１１】
図２に示すように指受体３の上端面には、指先を受け入れる掛止凹部２５を形成する。指受体３には、ホットカーラーＣと接続突起２との装着位置の目安となる位置表示を設けることができる。指受体３には、図１１に示すごとく接続突起２に対するホットカーラーＣの装着操作を補助する装着ガイド４４を形成することができる。図１１に示すように、指受体３には、ホットカーラーの周面を受け止め支持するカーラー受壁４３を形成することができる。
【００１２】
図７に示すように、本体ケース１から取り外した指受体３は、本体ケース１の底面に形成した収納凹部３５に対して、着脱自在に嵌め込み装着して収納することができる。
【００１３】
図４および図５に示すように、本体ケース１に、指受体３の基端に設けた嵌合軸２１を装着するための連結穴２３を形成し、連結穴２３に臨むケ−ス内部に、嵌合軸２１に設けたロック溝２８と係脱するロック片２９を配置し、ロック片２９は、ケース本体１で往復スライド自在に案内支持して、ばね３０でロック溝２８と係合する向きに移動付勢することができる。
【００１４】
指受体３の基端に設けた嵌合軸２１は、他の部位より太く形成し、本体ケース１に設けた連結穴２３に対して、指受体３を本体ケースの底面側から嵌め込み装着することができる。
【発明の効果】
【００１５】
本発明では、本体ケース１の上面にソケット４を備えた接続突起２を設けたうえで、ホットカーラーＣの抜き外し操作を補助する指受体３を接続突起２に隣接して設けた。加熱されたホットカーラーＣを接続突起２およびソケット４から取り外す場合には、図１に示すように、親指や中指などでカーラー本体１１をつかみ、人差し指を指受体３の上端にあてがった状態、即ち、人差し指で本体ケース１を押さえ固定した状態でホットカーラーＣを抜き外し操作する。これによりホットカーラーＣの給電プラグ１５と、接続突起２に設けたソケット４とを確実に分離できる。
【００１６】
したがって、本発明の加熱装置によれば、本体ケース１に接続装着したホットカーラーＣを片手のみで簡便に取り外すことができ、操作しやすい加熱装置を提供できる。指受体３の高さを、ソケット４に装着したホットカーラーＣの上端の高さと同じか、これより高い位置に設定するのは、より自然な姿勢で指受体３を押さえ保持して、ホットカーラーＣを簡便に取り外しするためである。因みに、指受体３の高さが、ソケット４に装着したホットカーラーＣの上端の高さより低い位置にあると、人差し指を不自然に折り曲げる必要があるので、力が入りにくくホットカーラーＣを分離し難くなる。
【００１７】
指受体３を本体ケース１に対して着脱可能としたうえで、本体ケース１から取り外した指受体３が、本体ケース１の底面と、接続突起２の突端面を含む仮想平面との間の空間を利用して収納されるようにすると、指受体３と本体ケース１とをコンパクトにまとめて収納でき、したがって商品発送時の占有スペースを最小限化して、搬送コストや在庫コストを削減できる。不使用状態における加熱装置全体の収納スペースを最小限化できる利点もある。本体ケース１から取り外した指受体３は、例えば、接続突起２の間に横臥姿勢で収納し、あるいは図７に示すように本体ケース１に設けた収納凹部３５に収納できる。このように、不使用時の指受体３を本体ケース１から取り外して収納すると、落下衝撃によって指受体３が折れることもない。
【００１８】
指受体３を使用姿勢と収納姿勢とに姿勢変更可能に構成し、不使用時の指受体３を本体ケース１の底面と、接続突起２の突端面を含む仮想平面との間の空間を利用して収納できるようにすると、指受体３を姿勢変更するだけで収納姿勢に切り換え、あるいは使用姿勢に切り換えることができるので、指受体３を本体ケース１に対して着脱する場合に比べて、指受体３の姿勢変更を少ない手間で簡便に行うことができる。指受体３が本体ケース１に常時組まれているので、指受体３を紛失することもない。
【００１９】
本体ケース１の上面に設けた高位接続突起２Ａと、高位接続突起２Ａに装着したホットカーラーＣとが指受体３を兼ねる加熱装置によれば、ホットカーラーＣこれ自体を利用する分だけ加熱装置の構造を簡素化し、ホットカーラーＣを加熱装置とは別にしてひとまとめに収納保存することにより、加熱装置の収納スペースを少なくできる。高位接続突起２Ａに装着されるホットカーラーＣを余分に持ち歩くことができるうえ、高位接続突起２Ａを複数個設ける場合には、その分だけより多くのホットカーラーＣを携行できる。ホットカーラーＣを高位接続突起２Ａに装着するだけで、指受体３を容易に構成できる利点もある。
【００２０】
ホットカーラーＣを利用して指受体３を構成する上記の加熱装置において、指受体３を兼ねるホットカーラーＣを加熱できるようにすると、その分だけ加熱できるホットカーラーＣの個数を増やして髪のくせ付けが短時間で行える。
【００２１】
指受体３の上端面に掛止凹部２５が形成されていると、人差し指の指先を掛止凹部２５にあてがってホットカーラーＣを抜き出し操作する際に、指先がずれ動くのを確実に防止できるので、本体ケース１に接続装着したホットカーラーＣを片手のみで更に確実に取り外すことができる。
【００２２】
指受体３に位置表示を設けると、位置表示を目安にしてホットカーラーＣと接続突起２との装着位置を決めることができるので、ホットカーラーＣの接続突起に対する装着を容易化できる。
【００２３】
指受体３に設けた装着ガイド４４は、装着時におけるホットカーラーＣを位置決め案内して、その装着操作を補助するので、ホットカーラーＣを接続突起２およびソケット４に対して円滑に接続できる。とくに、直径寸法が大きなホットカーラーＣであっても、給電プラグ１５とソケット４との位置合わせを適確に行えるので、ホットカーラーＣを簡単に着脱操作できる。
【００２４】
指受体３にホットカーラーの周面を受け止め支持するカーラー受壁４３が形成されていると、装着ガイド４４を設けた指受体３と同様に、装着する際のホットカーラーＣをカーラー受壁４３で案内できるうえ、給電プラグ１５とソケット４とが完全に接続し終わるまで両者４・１５を位置決めして、適正に接続することができる。接続突起２に装着したホットカーラーＣをカーラー受壁４３で受け止めることができるので、常に適正な接続姿勢を維持でき、ホットカーラーＣが外力を受けて傾動することもない。
【００２５】
本体ケース１の底面に収納凹部３５を形成しておき、本体ケース１から取り外した指受体３を収納凹部３５に嵌め込んで収納すると、指受体３を本体ケース１と一体化したコンパクトな状態で収納保存できるので、不使用時における加熱装置の収納スペースを最小限化できるうえ、商品搬送時の占有スペースを小さくできる。収納時に指受体３が他物にまぎれたり、紛失するのをよく防止できる。
【００２６】
嵌合軸２１に設けたロック溝２８と、ロック溝２８に係脱するロック片２９と、ロック片２９を係合付勢するばね３０などでロック機構を構成し、本体ケース１に設けた連結穴２３に指受体３の嵌合軸２１を嵌係合した状態において、嵌合軸２１をロック片２９でロック保持できるようにした加熱装置によれば、ロック機構によって指受体３の装着状態を維持し続けることができるので、例えば、加熱装置が床面に落下するような場合でも、指受体３が本体ケース１から分離して飛び散るのを防止できる。
【００２７】
嵌合軸２１を指受体３の他の部位より太く形成して、本体ケース１に設けた連結穴２３に対して、指受体３を本体ケースの底面側から嵌め込み装着すると、指受体３を握って加熱装置を吊り下げ支持した状態において、指受体３が連結穴２３から抜け出るのを確実に阻止できる。
【発明を実施するための最良の形態】
【００２８】
（実施例）  図１ないし図７は本発明に係る加熱装置の実施例を示す。図２において加熱装置は、薄い角箱状の本体ケース１を有し、本体ケース１の上面４箇所にホットカーラーＣを電気的に接続するための接続突起２を突設し、各接続突起２から均等距離だけ離れたケース中央に指受体３を設けてある。
【００２９】
図３において各接続突起２には、給電用のソケット４を設けてある。ソケット４は、一対の電極５・６と、両電極５・６を間に挟む内筒７および外筒８とで、１個のユニット部品として構成してあり、外筒８を接続突起２に対して上面側から差し込み装着することにより、一対の電極５・６が本体ケース１内に臨んでいる。本体ケース１内には、各ソケット４の電極５・６を続する給電リードやヒューズなどの電気部品が収容されている。符号９は給電線である。
【００３０】
図３においてホットカーラーＣは、耐熱樹脂成形品からなるカーラー本体１１と、カーラー本体１１の断面Ｈ字状の肉壁に埋設される上下一対の伝熱筒１２・１３と、両伝熱筒１２・１３の対向面間に配置される発熱素子１４と、発熱素子１４に加熱電流を供給する給電プラグ１５とを有する。カーラー本体１１の周面には、髪のからみつきやすくするためのリブ群が多段状に形成してある。発熱素子１４はＰＣＴヒーター（正特性サーミスター）からなり、発熱温度が設定温度に達すると、供給電流を自己制御して設定温度を維持する。給電プラグ１５は、カーラー本体１１の中心下面側に設けたボスから下向きに突設してあり、絶縁体１６の内外に中心電極１７と周囲電極１８とを配置してある。
【００３１】
図３の想像線で示すように、給電プラグ１５をソケット４に接続した状態では、中心電極１７と周囲電極１８とのそれぞれが、各電極５・６に設けた接触片５ａ・６ａで抱持状に保持されている。このときの各接触片５ａ・６ａは、図６に示すように、それぞれ拡径方向に弾性変形して、中心電極１７および周囲電極１８に密着し、カーラー本体１１がソケット４から分離するのを規制している。
【００３２】
上記のように、接続突起２およびソケット４に確りと装着されたホットカーラーＣを、片手のみで簡単に取り外し操作できるようにするために、本体ケース１の上面中央に指受体３を有する。図４において指受体３は、本体ケース１で軸支される嵌合軸２１と、嵌合軸２１に連続して上方へ突出する支軸２２とを一体に備えたプラスチック成形品からなり、嵌合軸２１を本体ケース１の中央に設けた連結穴２３に対して着脱自在に係合装着する。図１において支軸２２は、その上端に膨出形成した指当２４が、ソケット４に装着したホットカーラーＣの上端の高さより充分に高い位置に来るよう突設されている。指当２４の上端面には指先を受け入れる掛止凹部２５が凹み形成されている。
【００３３】
嵌合軸２１と連結穴２３とは、それぞれ上すぼまりテーパー状に形成してあって、支軸２２を持って本体ケース１を吊り下げ支持するような場合に、嵌合軸２１が連結穴２３から抜け出るのを確実に防止できる。この場合の指受体３は、本体ケース１の底面側から連結穴２３に差し込んで組み付ける。嵌合軸２１は支軸２２に比べて大径に形成してあり、その下端に連結穴２３の下端開口より大径のフランジ２６が張り出し形成されている。符号２７はフランジ２６を受け止める係合段部であり、これら両者２６・２７によって、指受体３が連結穴２３から抜け出るのをさらに確実に阻止できるうえ、嵌合軸２１と連結穴２３との嵌合位置を位置決めできる。嵌合軸２１と連結穴２３との間には、両者２１・２３の係合状態を維持するロック機構が設けられている。
【００３４】
図４および図５においてロック機構は、嵌合軸２１の上部周面に周回状に形成したロック溝２８と、嵌合軸２１を間にして対向配置される一対のロック片２９と、ロック片２９をロック付勢する圧縮コイル形のばね３０とで構成する。図５においてロック片２９は、本体ケース１の内部に設けたガイド壁３１で往復スライド自在に案内支持されており、その進出端にロック溝２８と係合する部分円弧状の係合爪３２を備えている。
【００３５】
嵌合軸２１を連結穴２３に係合した状態では、一対のロック片２９の係合爪３２が、嵌合軸２１のロック溝２８に係合するので、指受体３が本体ケース１から分離することはない。指受体３を分離操作するときは、支軸２２を僅かに傾動して、ロック片２９をばね３０の付勢力に抗して退入させ、その状態のままで指受体３を押し込み操作することにより、ロック片２９とロック溝２８との係合状態を解除して指受体３を連結穴から取り外すことができる。
【００３６】
本体ケース１から取り外した指受体３は、図７に示すように、本体ケース１の底面に設けた収納凹部３５に嵌め込み収納する。収納凹部３５は、先の連結穴２３を横切る状態で斜めに形成してあり、その両端内面に保持爪３６・３７を備えている。片方の保持爪３６に嵌合軸２１を係合装着し、さらに他方の保持爪３７に指当２４の近傍の軸部分を係合装着することにより、指受体３を収納凹部３５に分離不能に収納できる。収納状態における指受体３は、本体ケース１の底壁表面よりケース内方に位置しており、商品発送時にも同様に収納されている。
【００３７】
ホットカーラーＣを加熱するときは、各接続突起２にカーラー本体１１を差し込んで、その給電プラグ１５をソケット４に差し込み係合する。加熱されたホットカーラーＣを接続突起２およびソケット４から取り外す場合には、図１に示すように、例えば親指と中指とでカーラー本体１１の下半分をつかみ、指受体３の掛止凹部２５に人差し指であてがって、本体ケース１を押さえ込んだ状態でカーラー本体１１を抜き上げることにより、給電プラグ１５をソケット４から分離できる。このとき、人差し指の先端を支点にして、梃子のように持ち上げると、カーラー本体１１をさらに容易に取り外すことができる。
【００３８】
図８ないし図１３は加熱装置の別実施例を示す。図８においては、指受体３を伸縮自在な４個の筒軸３９でテレスコピック構造に構成して、不使用時における指受体３が、接続突起２の突端面を含む仮想平面と、本体ケース１の底面との間の空間を利用して収納できるようにした。指受体３は、使用時には実線で示す位置まで抜き出すが、不使用時には、想像線で示す位置まで縮めて収納することができる。他は先の実施例と同じであるので、同じ部材に同じ符号を付してその説明を省略する。以下の実施例においても同様に扱う。
【００３９】
図９においては、折り畳み可能に連結された３個の短軸４０で支軸２２を構成して、不使用時の支軸２２をピン４１まわりに折り畳むことにより、接続突起２の突端面を含む仮想平面と、本体ケース１の上面との間の空間に指受体３を収納できるようにした。図８および図９の実施例から理解できるように、支軸２２は本体ケース１に対して必ずしも着脱できる構造である必要はなく、使用姿勢と収納姿勢とに変向可能としたうえで、接続突起２の突出端面と、本体ケース１の底面との間の空間に収容できる構造であればよい。
【００４０】
図１０に示す加熱装置は、本体ケース１の上面中央に他の接続突起２より上方に突出する高位接続突起２Ａを設けて、高位接続突起２Ａと、これに装着したホットカーラーＣとで指受体３を構成するようにした。この場合には、高位接続突起２Ａに設けたソケット４にホットカーラーＣの給電プラグ１５を接続して、指受体３を兼ねるホットカーラーＣこれ自体を加熱して髪のくせ付けに使用することができる。なお、高位接続突起２Ａに設けたソケット４へ加熱電流が供給されないようにする場合には、ソケット４はホットカーラーＣを支えるためのダミーソケットとして機能しているに過ぎない。高位接続突起２Ａに装着したホットカーラーＣと、その周りの接続突起２に装着されるホットカーラーＣとは、それぞれ等しい距離だけ離れている。
【００４１】
図１１は、指受体３を筒柱状に形成し、各接続突起２と対向する指受体３の周面に、カーラー本体１１の上下フランジの周面に沿う部分円弧面からなるカーラー受壁４３を設けて、給電プラグ１５をソケット４に接続した状態において、カーラー本体１１の上下フランジをカーラー受壁４３で受け止め支持して、加熱時にホットカーラーが外力を受けてぐらつくのを防止できるようにした。カーラー受壁４３は、カーラー本体１１の装着ガイド４４としても機能しており、カーラー本体１１の下フランジをカーラー受壁４３に沿って差し込み装填するだけで、給電プラグ１５とソケット４との中心位置を位置決めして、両者４・１５を適切に接続できる。
【００４２】
図示省略したが、指受体３の上端に、ホットカーラーＣと接続突起２との装着位置の目安となる位置表示を張り出し形成されていると、上記と同様に給電プラグ１５とソケット４との中心位置を大まかに位置決めできる。
【００４３】
図１２および図１３は、指受体３で操作される取出し機構によって、接続突起２に装着したホットカーラーＣを抜き出し操作できるようにした。指受体３の嵌合軸２１は連結穴２３で上下動可能に支持したうえで、ばね４６で押し上げ付勢する。嵌合軸２１の下端の周囲一箇所には、取出し機構を操作する突片４７を突設する。取出し機構は、各接続突起２に対応して配置してあり、本体ケース１の内面のブラケットで軸支されて上下揺動できる揺動腕４８と、揺動腕４８を待機付勢するばね４９と、揺動腕４８の上下揺動に連動して本体ケース１の上面に出没する押出し軸５０とで構成する。
【００４４】
支軸２２の上端には、突片４７の突出位置に対応する三角形の指標５１を形成してある。この指標５１を取り出し操作したいホットカーラーＣに向けたうえで、支軸２２を押し込み操作すると、突片４７が揺動腕４８の一端が押し下げ操作されるので、揺動腕４８の他端側に設けた押出し軸５０が本体ケース１から突出され、カーラー本体１１の下フランジを強制的に押し上げる。その結果、本体ケース１を押さえ保持する必要もなく、ホットカーラーＣを取り外すことができる。支軸２２の押し込み力を開放したうえで、指標５１を別のホットカーラーＣに向けることにより、突片４７を揺動腕４８と対向させることができる。５２は揺動腕４８の揺動軸、５３は揺動腕４８と押出し軸５０とを連結するピンである。支軸２２は嵌合軸２１に対して分離可能に、しかし相対回動は不能に係合装着してある。そのために、支軸２２の下端に設けた係合軸５５を、嵌合軸２１に設けた連結穴５６に圧嵌係合し、係合軸５５の周面一部に回止め用の突起５７を設けている。不使用時の支軸２２は嵌合軸２１から取り外して収納できる。
【００４５】
上記の実施例以外に、本発明の加熱装置は、ソケット４を備えた少なくとも１個の接続突起２と、指受体３とを備えていればよい。ホットカーラーＣの内部構造は実施例で説明した構造である必要はなく、給電用のプラグを備えたプラグイン型のヘアカーラーであれば足りる。指受体３は軸状あるいは柱状である必要はなく、例えば左右横長の壁状に形成して、その前後および左右に接続突起２を配置することができる。もちろん、複数個の軸状、あるいは柱状の指受体３を本体ケース１に設けることができる。本発明は、蓄熱型のホットカーラーを加熱対象とする加熱装置にも適用できる。その場合には、接続突起２に加熱ロッドを設けることができ、接続突起２自体が加熱ロッドを兼ねていてもよい。
【００４６】
指受体３の上端の高さは、ソケット４に装着したホットカーラーＣの上端の高さより高い位置に設けることが好ましいが、少なくともソケット４に装着したホットカーラーＣの上端の高さと同じ位置にあれば足りる。加熱装置に設ける接続突起２の配置個数は、複数個であることが好ましいが、いずれの場合でも各接続突起２から均等な距離だけ離れた位置に指受体３を設ける。本体ケース１から取り外した指受体３は、接続突起２の間に横臥姿勢で収納することができる。その場合の指受体３は、接続突起２の突端面を含む仮想平面と本体ケース１の上面との間の空間に収めることが好ましいが、指受体３が太い場合には、その一部が接続突起２の突端面を含む仮想平面から突出していてもよい。指受体３は支軸２２の中途部で分割することができるが、その場合の分割面は、接続突起２の突端面を含む仮想平面の上か、これより下方に位置させる。
【図面の簡単な説明】
【００４７】
【図１】ホットカーラー用加熱装置の使用状態を示す正面図である。
【図２】ホットカーラー用加熱装置の斜視図である。
【図３】給電プラグとソケットの構造を示す分解断面図である。
【図４】指受体の装着構造を示す縦断正面図である。
【図５】図４におけるＡ−Ａ線断面図である。
【図６】図３におけるＢ−Ｂ線断面図である。
【図７】指受体の収納構造を示す加熱装置の底面図である。
【図８】指受体の別の実施例を示す加熱装置の正面図である。
【図９】指受体のさらに別の実施例を示す加熱装置の正面図である。
【図１０】指受体のさらに別の実施例を示す加熱装置の斜視図である。
【図１１】指受体のさらに別の実施例を示す加熱装置の斜視図である。
【図１２】ホットカーラーの取出し構造の別の実施例を示す断面図である。
【図１３】図１３における取出し構造の平面図である。
【符号の説明】
【００４８】
１  本体ケース
２  接続突起
３  指受体
４  ソケット
１１  カーラー本体
１４  発熱素子
１５  給電プラグ
Ｃ  ホットカーラー
【図１】
2005312647.tif 000003
【図２】
2005312647.tif 000004
【図３】
2005312647.tif 000005
【図４】
2005312647.tif 000006
【図５】
2005312647.tif 000007
【図６】
2005312647.tif 000008
【図７】
2005312647.tif 000009
【図８】
2005312647.tif 000010
【図９】
2005312647.tif 000011
【図１０】
2005312647.tif 000012
【図１１】
2005312647.tif 000013
【図１２】
2005312647.tif 000014
【図１３】
2005312647.tif 000015